(57)【要約】【課題】操作が容易でマスクを瞬時に濡らすことができ、防煙防塵性にすぐれるとともに製作手数のかからない濡れマスクを提供する。【解決手段】左右に耳掛け紐２を取り付けたマスク本体１内に水袋３を収納する。マスク本体１内の水袋３には開封可能な切筋部４が形成してあり、マスク本体を押圧すると切筋部が裂けて水袋内の水が流出し、本体が水濡れ状態になるのでそのまま濡れマスクを装用することができる。【選択図】図３
0003178657.tif 000002
【実用新案登録請求の範囲】
【請求項１】
左右に耳掛け紐を取り付けたマスク本体と、該本体内に収納される水袋からなり、マスク本体は前部布と後部布で形成されて前記水袋が上方より挿入可能で両布間に介装され、水袋は開封可能な切筋部を備え、マスク本体を押圧すると切筋部が割れて水袋内の水が流出し、本体が水濡れ状態になることを特徴とする濡れマスク。
【考案の詳細な説明】
【技術分野】
【０００１】  本考案は非常時にも迅速に対応できる濡れマスクに関する。
【背景技術】
【０００２】  花粉やほこり・インフルエンザなどからのど・鼻を守るためのマスクは素材や厚み、織り方が異なるとはいえ通常は購入時の収納袋から取り出して耳に引っ掛け、口鼻に取り付けることになっているものであり当然ながら湿気を含まず乾いた状態で使用されるが、強い煤煙を発する工事現場や火事の際に発生する有毒ガスなどには乾燥状態のものよりも濡れタオルのように水分を含んだものが、有害物質を吸収するには相応しいとされている。そこで水分を含有するマスクがあれば非常時に好都合であり、そのことを目的とした濡れマスクの技術も従来創案されている（例えば特許文献１、２参照）。
【先行技術文献】
【特許文献】
【０００３】
【特許文献１】登録実用新案第３０１９７０３号
【特許文献２】登録実用新案第３１５９８４９号
【考案の概要】
【考案が解決しようとする課題】
【０００４】  特許文献１には、マスクに水分含有を容易にし携帯に便利で長期保管に適する濡れマスクパックが記載されている。この製品はマスクを封入する袋体に耐水性の素材を用い、含浸液は防腐剤を配合しパックして保管上の乾燥を避け、パックはマスクと同じ袋体に封入し開封後はこの袋体に液を注ぎマスクに液を吸収させるというものである。つまり袋体の中にマスクと、液体を入れたパックの両方を封入することで非常時には袋体を開封してパックの中の液体をマスクに含浸させることを特徴としているが、このマスクパックによると非常時に袋体からパックを取り出し、パックを開いて中の液体を袋体に注ぐという手順を踏まなければならず、果たして緊急時にそれらの作業を迅速に行うことができるかという問題点がある。またマスクとパックのほかに袋体を必要とするため部品点数も増えてその分製造コストもかかることが懸念される。【０００５】  特許文献２に記載された濡れマスクは、水分を含む布又は紙（マスク素材）と、口及び鼻付近に前記のマスク素材を固定する２本の紐と、別体の保存容器で構成されたものであり、この保存容器にマスク本体を収納することを主旨としている。この製品によると保存容器の中に収納したマスク素材は常に水分を含んでいるため非常時には防煙マスクとしての使用ができ、またマスク以外に保存容器から取り出しておしぼりとしての使用もできるというものである。ところでこの濡れマスクは保存容器に収納されているため必要時には容器から取り出すという点では前記特許文献１と同様手間がかかり、また保存容器によってはマスク素材に含浸した水分が気温などにより漸次蒸発するといった危惧もある。【０００６】  本考案は上記のような従来技術の持つ問題点に鑑みてなされたもので、非常時の使い勝手がよく防煙防塵性にすぐれるとともに製作手数のかからない濡れマスクを提供しようとするものである。
【課題を解決するための手段】
【０００７】  すなわち本考案は、左右に耳掛け紐を取り付けたマスク本体と、該本体内に収納される水袋からなり、マスク本体は前部布と後部布で形成されて前記水袋が上方より挿入可能で両布間に介装され、水袋は開封可能な切筋部を備え、マスク本体を押圧すると切筋部が割れて水袋内の水が流出し、本体が水濡れ状態になることを特徴とする。
【考案の効果】
【０００８】  マスク本体内に固定した水袋は、切筋部があるため外から力を加えることで容易に中の水が流出し、瞬時にマスク本体を濡らすことができる。このため非常時には耳掛け紐を耳に取り付けて濡れたマスクを直ちに通常のマスク同様鼻先にあてがうことができ、例えば火事現場では防煙用に役立ち、また工事現場などの粉塵の著しい環境における防塵用として迅速な対応ができる。【０００９】  水袋はマスク本体に常時介装保持されているため本体と共に携行でき、従来品のように別体の容器に収納する必要がないので構成部材を極力節して製作も容易であり、水袋の押圧操作は手のひら又は指先で簡単に行えるため非常時に誰もが遅滞なく使用できるという迅速性・利便性に富むものといえる。
【図面の簡単な説明】
【００１０】
【図１】正面側から見た本案マスクの概略図である。
【図２】水袋を収納した本案マスクの説明図である。
【図３】前部布を一部切断して示したマスクの説明図である。
【図４】水袋の一例を示す説明図である。
【図５】水袋を潰すためにマスクを丸めた説明図である。
【考案を実施するための形態】
【００１１】  図面は考案を実施するための形態を例示するもので、図１のようにマスク本体１は市販されている通常のマスクと外観において変わることはなく、左右には耳掛け紐２を取り付けてあり、この耳掛け紐２を両耳に掛装すれば鼻先・口元がマスク本体１により覆われる。ただしマスク本体１は使用時に水を含浸させるため不織布製のものよりも所謂ガーゼマスクが妥当するとともに、近時汎用されている立体型ではなく従来からの平型のものが適する。
【００１２】  マスク本体１は図２のように前部布１ａと後部布１ｂで形成されていて両布は通常密着しているが、両布間にビニール製の水袋３を介装させることができる。前部布１ａと後部布１ｂは図示のように下端部で折曲状としたものでも、二枚のものを両サイドで縫着する構成としたものでもよく、また両布の厚みに限定はなく、夫々が２枚重ねなど薄膜状ものを複数重ねとすることも望ましい。
【００１３】  図３は前記した水袋３を介装した例を前部布１ａを一部切欠して示したもので、水袋３はマスク本体１の上方より前部布１ａと後部布１ｂの間に挿入する。この水袋３は両布間に介装しやすいような横長形であって内部に水を充填してあり、非常時には瞬時に水を排出できるように開封可能な切筋部４を設けてある。そして水袋３を押圧するとこの切筋部４が割れて水が流出する仕組みであるが、当然ながら切筋部４は水袋３を押圧しない限り割れることはないため内部の水が自然流失することはない。
【００１４】  前記水袋３の切筋部４は図４に示すとおり、長手方向の中央部及び／又は幅方向の左右に形成し、外部から押圧すると切筋部４が裂けて中の水を瞬時に排出させることができる。ただしこの切筋部４の形成個所は図示のものに限定する必要はなく、また水袋３も多様な任意形状とすることができる。
【００１５】  図５は水袋３を潰して切筋部４を開口する要領を示すもので、マスク本体１を丸めると水袋３の全体を矢指のように手のひら内で押しつぶすことが簡単にでき、切筋部４は裂けてその部分から、充填されていた水が流出してマスク本体１が湿潤状態となる。そこでマスク本体１を元に戻せば耳掛け紐２を左右の耳に掛装でき、通常のマスク同様に鼻先・口元がカバーされ、濡れマスクのため微細な粉塵、煤煙などの影響を可及的抑止できる。
【００１６】  以上のように本案マスクはあらかじめ水袋３を介装しておくだけで済み、その他の余分な部材を要しないため取り扱いが頗る簡単で非常時に遅滞なく対応できることを特徴としている。なお水の保存期間を長期にわたり維持するために水袋３を必要に応じ熱湯消毒することも一法であり、その他前述の中で示したマスク本体１の素材・大きさ、マスク形状、切筋部４の形成手段とその開口の仕方などは任意事項であって、本考案の目的効果を奏する範囲におけるその他の付加・変更も本考案の実施の範疇に属するものである。
【符号の説明】
【００１７】１    マスク本体
１ａ  前部布
１ｂ  後部布
２    耳掛け紐
３    水袋
４    切筋部
【図１】
0003178657.tif 000003
【図２】
0003178657.tif 000004
【図３】
0003178657.tif 000005
【図４】
0003178657.tif 000006
【図５】
0003178657.tif 000007